(57)【要約】  ダイビング中に、バラストが不用意に落ちず、かつ、それをスキューバダイバーが片手で取外すことができるようにしたロックシステムを有する浮力調整器。ロックシステムは、解除ユニット（３０）と、メスロックユニット（５０）と、オスロックユニット（７０）とを含む。解除ユニットは、メスロックユニットとオスロックユニットとの間に介在される旋回脚を含む。旋回脚が時計方向又は反時計方向に一定角度、強制的に旋回されると、オスロックユニットのメスロックユニットに対する結合が解除される。
2015532230.tif 000002
【特許請求の範囲】
【請求項１】
ロックシステムを有する浮力調整器は、前方向及び後方向を有し、
バラストが取外し可能に挿入されるポケットを有するベストと、
ポケットの開口を開口可能に閉じるように構成されるカバーフラップと、
カバーフラップを解放可能に閉じるように構成されるロックシステムとを含み、
ロックシステムは、
バラストに取付けられる解除ユニットと、
カバーフラップに取付けられるメスロックユニットと、
メスロックユニットと結合可能に構成されるオスロックユニットとを含み、
解除ユニットは、旋回脚と、旋回脚上の操作ノブとを含み、
メスロックユニットは、両側部と、前端部と、両側部と前端部によって画定される配置スペースとを含むフレームと、案内溝内における一対の第１爪とを含み、
オスロックユニットは、固定部材と、固定部材との間に介在するスプリングによって前方向へ付勢され、前後方向へ一定移動範囲だけ摺動可能に固定部材に挿入される可動部材とを含み、
オスロックユニットのメスロックユニットに対する結合において、
旋回脚は、前端部とオスロックユニットの可動部材とに当接して、メスロックユニットの前端部とオスロックユニットとの間に配置され、
メスロックユニットの第１爪とオスロックユニットのフックアームの第２爪とは互いに離脱可能に係止され、操作ノブの旋回操作によって旋回脚がその旋回方向へ一定角度で強制的に旋回されると、オスロックユニットの可動部材は、スプリングによる可動部材の付勢に抗して後方向に摺動するように解除部材の旋回脚によって前方向に押圧され、よって、メスロックユニットの第２爪に係止される固定部材のフックアームの第１爪は、第１爪と第２爪との係止が離脱される側へ偏位され、その結果、メスロックユニットとオスロックユニットとの結合が解除される浮力調整器。
【請求項２】
旋回脚は、可動部材と当接する両側縁を含む請求項１に記載のロックシステムを有する浮力調整器。
【請求項３】
旋回脚は、その旋回方向にストラップ片を介してバラストに旋回可能に連結される足を含む請求項１又は２に記載のロックシステムを有する浮力調整器。
【請求項４】
旋回脚は、凸前面を有する請求項１から３のいずれかに記載のロックシステムを有する浮力調整器。
【請求項５】
メスロックユニットは、両側部と前端部とによって形成されるほぼＵ形フレームで画定される配置スペースを含む請求項１から４のいずれかに記載のロックシステムを有する浮力調整器。
【請求項６】
前端部は、その内面に凹面が設けられ、該凹面と旋回脚の凸前面が当接する請求項１から５のいずれかに記載のロックシステムを有する浮力調整器。
【請求項７】
メスロックユニットは、その案内溝の開口端に一対の受止溝を含む請求項１から６のいずれかに記載のロックシステムを有する浮力調整器。
【請求項８】
可動部材は、凸頭縁と、一対の肩部とを含み、該凸頭縁及び該肩部の少なくとも一方が旋回脚の両側縁に当接する請求項１から７のいずれかに記載のロックシステムを有する浮力調整器。
【請求項９】
固定部材は、その両側にメスロックユニットの一対の受止溝に挿入されるべき一対の安定化突起を含む請求項１から８のいずれかに記載のロックシステムを有する浮力調整器。
【発明の詳細な説明】
【技術分野】
【０００１】
本発明は、スキューバダイバーのためのロックシステムを有する浮力調整器に関する。
【背景技術】
【０００２】
浮力調整器用のバラスト又はウエイトカートリッジを備える浮力調整器は公知である。例えば、特許文献１は、スキューバダイバーが着用するように形成されたベストと、ベストの両前パネルに位置し、バラストが取出し可能に挿入されるポケットとを含む浮力調整器を開示する。この浮力調整器では、バラストはバックルを介してポケットに連結される。また、特許文献２には、両前パネルに位置し、ジップファスナーを介して開閉可能なポケットにバラストが取出し可能に挿入される浮力調整器を開示する。
【先行技術文献】
【特許文献】
【０００３】
【特許文献１】米国特許第８，２７２，８０９号公報
【特許文献２】米国特許第５，３１１，８３３号公報
【発明の概要】
【発明が解決しようとする課題】
【０００４】
特許文献１に開示の浮力調整器によれば、バックルによる連結を解除することによって、バラストをポケットから容易に取り出すことができる。しかし、バックルがジャケットの外部に露出している。したがって、ダイバーが潜水中に、もしバックルの操作部が岩礁等に衝接すると、不用意に連結が解除され、バラストがポケットから落下するおそれがある。かかる場合には、浮力が調整できず、ダイバーが急に水面に向かって上昇することになる。その結果、肺が膨張して肺を傷めたり呼吸困難に陥ったりするおそれがある。
【０００５】
一方、特許文献２に開示の浮力調整器によれば、スキューバダイバーは、ポケットの一部をベストに連結している支持ハンドルを操作し、ポケットの開口を下方に向けることによって、ウエイトを落下させることができる。さらに、ダイバーの潜水中においては、ポケットの開口はジップファスナーによって閉じられているので、たとえ岩礁等に衝接して支持ハンドルが操作され、ポケットの開口が下方へ向いてもウエイトが落下するおそれはない。しかし、通常、ダイバーは手を保護するために手袋を着用しているので、水中においてジップファスナーの操作部を操作することは困難である。したがって、緊急時に速やかにウエイトを取出す必要があるとき、スムーズにウエイトを取出すことができない。
なお、特許文献米国特許第５，９４４，４５０、米国特許６，４８７，７６１及び米国特許第７，４５８，７５１等が知られ、これらの特許文献は、特許文献１と同様な問題がある。
【０００６】
本発明の課題は、従来の浮力調整器を改良し、特に、潜水中に不用意にバラストが落下することがなく、かつ、スキューバダイバーが片手でバラストをポケットから容易に取外すことができるロックシステムを有する浮力調整器を提供することにある。
【課題を解決するための手段】
【０００７】
課題を解決するため、下記の構成を含むロックシステムを有する浮力調整器が提供される。
ロックシステムを備える浮力調整器は、前方向及び後方向を有し、
バラストが取外し可能に挿入されるポケットを有するベストと、
ポケットの開口を開口可能に閉じるカバーフラップと、
カバーフラップを開口可能に閉じるように構成されるロックシステムとを含み、
ロックシステムは、
カバーフラップに取付けられる解除ユニットと、
ポケットに取付けられるメスロックユニットと、
メスロックユニットと結合可能であるオスロックユニットとを含み、
解除ユニットは、旋回脚と、旋回脚上の操作ノブとを含み、
メスロックユニットは、両側部と、前端部と、両側部と前端部によって画定される配置スペースとを含むフレームと、案内溝内における一対の第１爪とを含み、
オスロックユニットは、固定部材と、固定部材との間に介在し圧縮されるスプリングによって前方向へ付勢されて、前後方向へ一定移動範囲だけ摺動可能に固定部材に挿入される可動部材とを含み、
オスロックユニットのメスロックユニットに対する結合において、
旋回脚は、前端部とオスロックユニットの可動部材とに当接して、メスロックユニットの前端部と稼働部材との間に配置され、
メスロックユニットの爪とオスロックユニットのフックアームの第２爪とは互いに離脱可能に係止され、操作ノブの旋回操作によって旋回脚がその旋回方向に一定角度で強制的に旋回されると、可動部材は、スプリングによる前方向への可動部材の付勢に抗して後方向に摺動するように解除部材の旋回脚によって押圧され、よって、メスロックユニットの第２爪に係止される固定部材のフックアームの第１爪は、第１爪と第２爪との係止が離脱される側へ偏位され、その結果、メスロックユニットとオスロックユニットとの結合が解除される。
【発明の効果】
【０００８】
本発明の一つ以上の実施形態に係るロックシステムを有する浮力調整器は、ロックシステムを解除するために、ポケットのカバーフラップは、バラストが挿入されるポケットの開口を開口可能に閉じるように構成され、操作ノブはその旋回方向に一定角度旋回脚を強制的に旋回操作する必要がある。したがって、ロックシステムの一部が岩礁等に衝接しても、不用意にそのロックが解除されるおそれはない。
【図面の簡単な説明】
【０００９】
図面は、発明の不可欠な構成ばかりではなく、選択的及び好ましい実施形態を含む特定の実施形態を示す。
【００１０】
【図１】ロックシステムを有する浮力調整器の正面図。
【図２】バラストの斜視図。
【図３】バラストのカバーフラップが解放された状態のバラストの斜視図。
【図４】図１の円線で囲まれる部分の拡大図。
【図５】ロックシステムのロックの解除時における図４と同様なロックシステムの正面図。
【図６】図４におけるＶＩ−ＶＩ線に沿う断面図。
【図７】ロックシステムの分解斜視図。
【図８】解除ユニットを位置させるメスロックユニットとオスロックユニットとの分解斜視図。
【図９】図６におけるＩＸ−ＩＸ線に沿う断面図。
【図１０】ロックシステムのロックが解除された状態の図９と同様な断面図。
【発明を実施するための形態】
【００１１】
下記の実施形態は、発明の選択的及び好ましい構成を含む図１〜１０に示すロックシステムを有する浮力調整器に関する。
図１〜６を参照すると、本発明の実施形態に係るロックシステム２７を有する浮力調整器１０は、バックパネルを有するベスト又はジャケット１１（以後、ベストという）と、一対の左右前パネル１４，１５と、一対のショルダーストラップ１５ａ，１５ｂと、一対のウエストストラップ１６ａ，１６ｂと、スキューバダイバーの胴体に固定するベスト１１と、後パネル１２に取付けられるハーネス１７と、ハーネス１７に固定されるエアタンク１８と、エアタンク１８の減圧弁１９に連結される高圧ホース１８ａと、高圧ホース１８ａに連結されるパワーインフレター２０と、パワーインフレター２０から延びる排気部（図示せず）に連結されるインフレターホース２１とを含む。
【００１２】
左前パネル１４に取付けられるウエストストラップ１６ａの外面及び右前パネルに取付けられるウエストストラップ１６ｂの内面には、互いに係合可能な一対のファスナー２２ａ，２２ｂがそれぞれ配置される。左右前パネル１４，１５には、互いに離脱可能に係合されるべきメス及びオスバックル２３ａ，２３ｂがそれぞれ配置される。左右前パネル１４，１５の各々は、バラスト又はカートリッジウエイト２５（以後、バラストという）の挿入のためのポケット２６を含む。図４〜６に示されるように、ポケット２６は、例えば布地で一体的に覆われるプラスチックスのような材料から作られる比較的剛性なベースパネル２６ａと．例えば布地のような材料から作られる可撓性カバー２６ｂと、カバーフラップ２８と、ロックシステム２７を介してカバーフラップ２８で開口可能に閉じられる開口２６ｄとを含む。カバーフラップ２８は、遠位部２８ａと、ポケット２６の開口２６ｄに隣接して固定される近位部２８ｂ（図６参照）とを含む。図示されていないが、ポケット２６は、それが、例えば、メカニカルファスナー（ベルクロ）を介して、ベスト１１に取外し可能に取付けられてもよい。
【００１３】
図２，３に示されるように、バラスト２５は、一般的に、例えば鉛又は鉄のような金属で作られ所要量のウエイト２５Ａと、布地又はプラスチック材料で作られるカートリッジ２５Ｂとを含む。カートリッジ２５Ｂは、例えば布地で一体的に覆われるプラスチックのような材料で作られる剛性なベースパネル２５ａと、カバー２５ａと同様な材料で作られる可撓性カバー２５ｂと、メカニカルファスナー２５ｅ，２５ｆを介して開口２５ｄを開口可能に閉じるカバーフラップ２５ｃと、排水孔２５ｇとを含む。
【００１４】
図１，４〜６に示されるように、ロックシステム２７は、前方向Ｘと、後方向Ｙと、前後方向Ｘ，Ｙに直交する幅方向Ｚとを有し、解除ユニット３０と、メスロックユニット５０と、オスロックユニット７０と解除可能に結合されるオスロックユニット７０とを含み、後述するように、そこでは解除ユニット３０がメス及びオスロックユニ５０，７０の間に保持される。ロックシステム２７は、左右前パネル１４，１５にそれぞれ配置されてもよい。しかし、図では、左前パネル１４だけに示されている。解除ユニット３０、メスロックユニット５０及びオスロックユニット７０は、例えば、プラスチックス、ゴム及び金属のような、弾性変形、弾性復元又はスプリング性質を生じ得る比較的硬質の材料から形成されることが好ましい。
【００１５】
図２，４に示されるように、解除ユニット３０は、バラスト２５に連結される。具体的には、解除ユニット３０は、解除ユニット３０の足３１がベースパネル２５ａに固定されるストラップ片２５Ｃを介してカートリッジ２５Ｂのベースパネル２５ａに旋回可能に連結されるように、バラスト２５を構成するカートリッジ２５Ｂのベースパネル２５ａに連結される。メスロックユニット５０は、ポケット２６の開口２６ｄに隣接して画定されるほぼＵ形切欠２６ｃの内周縁に沿って取付けられる。オスロックユニット７０は、その後端の連結部７１を介してポケット２６のカバーフラップ２８の遠位部２８ａに取付けられる。
【００１６】
図６〜８を参照すると、解除ユニット３０は、足３１に加えて、足３１上に旋回脚３２と、ダイバーの指を通す開口３３ａを有するほぼ三角形操作ノブ３３とを含む。足３１は、ストラップ片２５Ｃ（図２参照）を介して旋回脚５１をバラスト２５上に起立する状態で旋回可能に、かつ、安定的に支持するように形成される。旋回脚３２は、後述するように、軸としての役割をし、操作ノブ３３により強制的に旋回されるものであるところ、凸前面３４と、後凹面３５と、後方向Ｙに向かって曲がる一対の両側縁３６で形成されるように、ダイバーがしっかり把持するため断面ほぼ三角凸に形成される。
【００１７】
メスロックユニット５０は、ポケット２６のほぼＵ形切欠２６ｃ（図４，５参照）の内周縁に沿って固定されるほぼＵ形フランジ５２の内周縁に沿って形成されるほぼＵ形フレーム５１を含む。フレーム５１は、ほぼＵ形配置スペース５６を画定する両側部５３，５４及び前端部５５を含む。配置スペース５６は、前端部５５に対向する開口側５６ａで開口する。前端部５５は、その内面に広く開くＶ形（図９参照）に画定される凹面５７が設けられ、軸受の一部として役立ち、ロックシステム２７のロック状態で、凹面５７に対して旋回脚３２の凸面３４の中央部が摺動可能に当接する。前端部５５はまた、その外面にダイバーの保持部５５ａが設けられる。両側部５３，５４は、それの内側に沿って、配置スペース５６に向かうとともに後方向Ｙに向かって開口する一対の案内溝５８が設けられる。案内溝５８は、それらの開口端５８ａの近傍に一対の爪５９が、かつ、それらの開口端に一対の受止溝６０が設けられる。
【００１８】
オスロックユニット７０は、固定部材７２と、それに摺動可能に挿入される可動部材７３とを含む。固定部材７２は、その内部に中空７４ａを有し、基部７５から前方向Ｘへ延び、両上下部７４ａ，７４ｂ及び両内側部（図示せず）から構成される中空中央部７４と、中空中央部７４の両側において、基部７５から前方向Ｘへ向かって延び、メスロックユニットの爪５９と取外し可能に係止が可能である爪７６ａを有する一対の弾性変形可能な一対のフックアーム７６と、メスロックユニット５０の受止溝６０に取外し可能に嵌合され、基部７５から前方向Ｘへ向かって突出する一対の安定化突起７７と、基部７５から上方に突出するダイバーの凹保持部７５ａと、固定部材７２内で中空７４ａの開口端から前方向Ｘへ向かって延び、爪７８ａを有するフックアーム７８と、前後方向Ｘ，Ｙにおける一対の線状案内溝７９ａ，７９ｂとを含む。なお、安定化突起７７は、弾性フックアーム７６よりもかなり短いので、たとえ一定の力が加わったとしても、弾性的に変形し難い。
【００１９】
可動部材７３は、上部７４ａの前端７４ｃから前方向Ｘへ突出する前方部８０と、後方部８１とを含む。前方部８０は、凸頭縁８２と、リブ８３ａを有し後方向Ｙへ曲がって外縁が凸頭縁８２の外縁と凸状に互いに連続する一対の肩部８３と、凸頭縁８２上に後方向Ｙへ僅かに傾いて突出するダイバーの押圧部８４とを含む。後方部８１は、爪８５ａを有し両側部において可動部の後端から前方向Ｘに向かって延びる一対のフックアーム８５と、可動部７３の上下部において前後方向Ｘ，Ｙに延び、固定部材７２の案内溝７９ａ，７９ｂに摺動可能に嵌合する一対の線形案内突起８６ａ，８６ｂと、後方部８１の端から後方向Ｙに延びるジグザグ形のスプリング８６とを含む。スプリング８６は、所要のスプリング力を発揮する限り、後方部８１から分離して形成されてもよい。
【００２０】
スプリング８６は、前後方向Ｘ，Ｙへ弾性的に圧縮される状態で中空７４ａに位置し、その結果、可動部材７３は、前方向Ｘへ付勢される。前後方向Ｘ，Ｙへの可動部材７３の移動範囲は、前後方向Ｘ，Ｙへの案内溝７９ａ，７９ｂ及び案内突起８６ａ，８６ｂのそれぞれの長さ、及び爪７８ａ，８５ａを除くフックアーム７８，８５のそれぞれの長さの少なくとも一方によって制限される。固定部材７２からの可動部材７３の分離は、案内溝７９ａ，７９ｂと案内突起８６ａ，８６ｂとの嵌合、及びフックアーム７８の爪７８ａとフックアーム８５の爪８５ａとの係止の少なくとも一方で防止される。後述から明らかになるように、スプリング８６の拡張（復元）力は、可動部材７３の付勢ができるだけ大きく発揮されるように、できるだけ大きいことが好ましい。これは、可動部材７３の凸頭縁８２と当接する解除ユニット３０の旋回脚３２が容易に旋回され得ず、よって、メス及びオスロックユニット５０，７０の結合が解除されるように旋回脚３２が時計又は反時計方向へ操作ノブ３３を介して強制的に旋回されない限り、可動部材７３が後方向Ｙへ容易に摺動し得ないようにするためである。
【００２１】
図１，９，１０に示されるように、ロックシステム２７のロック状態で、解除ユニット３０の旋回脚３２がメスロックユニット５０の配置スペース５６に挿入され、旋回脚３２の足３１がバラスト２５とメスロックユニット５０の前端部５５のフランジ５２との間に挿入されるように、バラスト２５が解除ユニット３０と一緒にポケット２６に挿入されている。オスロックユニット７０は、可動部材７３が解除ユニット３０の旋回脚３２と当接する一方、旋回脚３２がメスロックユニット５０の凹面５７と当接するように、配置スペース５６の開口側５６ａから配置スペース５６に挿入されており、中空中央部７４が配置スペース５６に位置している状態で、肩部５３がメスロックユニット５０の案内溝５８に挿入され、メスロックユニット５０の爪５９とオスロックユニット７０のフックアーム７６の爪７６ａとが互いに係止され、オスロックユニット７０の安定化突起７７がメスロックユニット５０の受止溝６０に嵌合されている。かかる状態で、スプリング８６の拡張下に、旋回脚３２がメスロックユニット５０の凹面５７とオスロックユニット７０の可動部材７３の凸頭縁８２との間に確実に保持され、可動部材７３は、スプリング８６の拡張、すなわち、スプリング８６のスプリング力により、前方向Ｘへ付勢されている。
【００２２】
図４，５，６，９，１０に示されるように（特に、図９，１０参照）、ロックシステム２７のロック時において、まず、解除ユニット３０の操作ノブ３３がダイバーによって握られ、メスロックユニット５０の配置スペースに旋回脚３２を位置させながら、バラスト２５がポケット２６に解除ユニット３０と一緒に挿入され、旋回脚３２がメスロックユニット５０の凹面５７に当接するまで、ポケット２６に挿入される。ついで、オスロックユニット７０の可動部材７２の保持部７５ａがダイバーによって保持され、前方向Ｘへのオスロックユニット７０の可動部材７３の付勢に抗して、オスロックユニット７０が配置スペース５６に押込まれるとともに、案内溝５８の肩部８３が案内溝５８に挿入される。このとき、オスロックユニット７０が前方向Ｘに移動されるとともに、肩部８３がメスロックユニット５０の案内溝５８に沿って摺動され、フックアーム７６の爪７６ａがメスロックユニット５０の爪５９を乗越える。その結果、フックアーム７６の爪７６ａがメスロックユニット５０の爪５９に係止される。したがって、オスロックユニット７０は後方向Ｙへ移動するのを制限され、オスロックユニット７０の凸頭縁８２が解除ユニット３０の旋回脚３２の両側縁３６に当接する。その結果、メスロックユニット５０とオスロックユニット７０とは互いに結合される。
【００２３】
かかる結合状態（ロック状態）で、オスロックユニット７０の安定化突起７７は、受止溝６０に嵌合されており、そのため、オスロックユニット７０は、幅方向へ偏位することが制限されている。かくして、メスロックユニット５０とオスロックユニット７０とは、互いにより安定的に結合され、たとえ比較的強い衝撃を受けても、結合が緩むようにならないし、結合状態が解除されない。
【００２４】
図４，５，６，９，１０に示されるように（特に、図９，１０参照）、ロックシステム２７の解除時において、その解除は、下記のとおり、ダイバーによって操作される。
解除ユニット３０の操作ノブ３３が握られ、それが時計方向又は反時計方向へ強制的に旋回される。この解除ユニット３０の操作ノブ３３の旋回により、解除ユニット３０の旋回脚３２が、旋回脚３２の凸前面３４と当接する凹面５９に沿って旋回されるとともに、凸前面３４がオスロックユニット７０の可動部材７３の肩部８３及び／又は凸頭縁８２と当接する旋回脚３２が、その旋回方向へ一定角度、それらの凸形に沿って旋回され、そのため、旋回脚３２が可動部材７３を後方向Ｙに押圧し、よって、スプリング８６が後方向Ｙに圧縮される。引き続いて、可動部材７３が後方向Ｙに摺動されると、可動部材７３の肩部８３がフックアーム７６の爪７６ａに当接し、フックアーム７６が固定部材７２の側に偏倚するように弾性的に変形され、その結果、フックアーム７６の爪７６ａの、メスロックユニット５０の爪５９に対する係止が解除される。同時に、オスロックユニット７０が、スプリング８６の拡張によって後方向Ｙに押出され、スプリング８６のスプリング力で肩部８３とフックアーム７６もまた、メスロックユニット５０の案内溝５８から後方向Ｙに押出され、オスロックユニット７０は、メスロックユニット５０との結合が解除されるように、オスロックユニット７０がメスロックユニット５０から飛出るように離れる。その結果、カバーフラップ２８は完全に解放され、ポケット２６の開口２６ｄが開口される。引き続いて、解除ユニット３０の操作ノブ３３が後方向Ｙに引かれると、バラスト２５はポケット２６から完全に引出される。
【００２５】
ダイバーの押圧部８４は、ダイバーの不注意で、メスロックユニット５０に解除ユニット３０をセットせずにオスロックユニット７０がメスロックユニット５０に結合される場合、ダイバーにより保持するために設けられる。上述のように、オスロックユニット７０がメスロックユニット５０に結合される場合には、その結合は、ダイバーが押圧部を持ち、後方向Ｙへ押圧して解除しない限り、解除することが困難である。押圧部８４はまた、ロックシステム２７の解除時に解除ユニット３０が後方向Ｙへあまり傾斜し過ぎることを防止するのにも役立つ。
【００２６】
ちなみに、例えば、プッシュ式のロックシステム又は外部に操作部が露出した従来のバックル手段によってバラストがポケットに連結される場合には、ダイビング中に岩礁等にロックシステム又は従来のバックルが衝突することによって不用意にロックが解除され、バラストが落下してバラストによる浮力調整ができなくなる。その結果、ダイバーが急浮上して肺を傷めるおそれがある。本実施形態に係る浮力調整器のロックシステム２７においては、解除ユニット３０の強制的旋回によってロックが解除される。したがって、ロックシステム２７が岩礁にぶつかって比較的に強い衝撃を受けたとしても、ロックが不用意に解除されるおそれはない。また、ジップファスナーや紐等による結合の場合には両手での解除操作が必要になる。したがって、ダイバーが潜水中に手袋を着用している場合には、操作が困難になる。しかし、本実施形態のロックシステム２７では、解除ユニット３０の操作ノブ３３を掴んだ状態でそれを旋回操作してロック解除し、そのまま解除ユニット３０を前方へ引っ張ることによってバラスト２５をベスト１１のポケット２６から取出すことができるので、片手で、比較的に簡易にロックシステム２７の解除とバラスト２５の取出しとをなすことができる。
【００２７】
浮力調整器１０を構成する各構成部材には、特に限定されている場合を除き、本明細書に記載されている材料のほかに、この種の分野において通常用いられている、各種公知の材料を制限なく使用することができる。また、本明細書及び特許請求の範囲において、用語「第１」及び「第２」は、同種の要素、位置等を単に区別するためにのみ用いられている。
【００２８】
本発明の開示によるいくつかの実施形態は、少なくとも下記の一つ以上に整理することができる。
ロックシステムを有する浮力調整器は、前方向及び後方向を有し、
バラストが取り外し可能に挿入されるポケットを有するベストと、ポケットの開口を開口可能に閉じるように構成されるカバーフラップと、カバーフラップを解放可能に閉じるように構成されるロックシステムとを含む。
ロックシステムは、バラストに取付けられる解除ユニットと、カバーフラップに取付けられるメスロックユニットと、メスロックユニットと結合可能に構成されるオスロックユニットとを含む。
解除ユニットは、旋回脚と、旋回脚上の操作ノブとを含む。
メスロックユニットは、両側部と、前端部と、両側部と前端部によって画定される配置スペースとを含むフレームと、案内溝内における一対の第１爪とを含む。
オスロックユニットは、固定部材と、固定部材との間に介在するスプリングによって前方向へ付勢され、前後方向へ一定移動範囲だけ摺動可能に固定部材に挿入される可動部材とを含む。
オスロックユニットのメスロックユニットに対する結合において、
旋回脚は、前端部とオスロックユニットの可動部材とに当接して、メスロックユニットの前端部とオスロックユニットとの間に配置され、
メスロックユニットの第１爪とオスロックユニットのフックアームの第２爪とは互いに離脱可能に係止され、操作ノブの旋回操作によって旋回脚がその旋回方向に一定角度で強制的に旋回されると、オスロックユニットの可動部材は、スプリングによる可動部材の付勢に抗して後方向に摺動するように解除部材の旋回脚によって前方向に押圧され、よって、メスロックユニットの第２爪に係止されている固定部材のフックアームの第１爪は、第１爪と第２爪との係止が離脱される側へ偏位され、その結果、メスロックユニットとオスロックユニットとの結合が解除される。
【００２９】
上記本開示は、少なくとも下記の実施形態を含み、それは、互いに分離し又は組合せで採択されてもよい。
（１）旋回脚は、可動部材と当接する両側縁を含む。
（２）旋回脚は、その旋回方向にストラップ片を介してバラストに旋回可能に連結される足を含む。
（３）旋回脚は、凸前面を有する。
（４）メスロックユニットは、両側部と前端部とによって形成されるほぼＵ形フレームで画定される配置スペースを含む。
（５）前端部は、その内面に凹面が設けられ、該凹面と旋回脚の凸前面が当接する。
（６）メスロックユニットは、その案内溝の開口端に一対の受止溝を含む。
（７）可動部材は、凸頭縁と、一対の肩部とを含み、該凸頭縁及び該肩部の少なくとも一方が旋回脚の両側縁に当接する。
（８）固定部材は、その両側にメスロックユニットの一対の受止溝に挿入されるべき一対の安定化突起を含む。
【図１】
2015532230.tif 000003
【図２】
2015532230.tif 000004
【図３】
2015532230.tif 000005
【図４】
2015532230.tif 000006
【図５】
2015532230.tif 000007
【図６】
2015532230.tif 000008
【図７】
2015532230.tif 000009
【図８】
2015532230.tif 000010
【図９】
2015532230.tif 000011
【図１０】
2015532230.tif 000012
【国際調査報告】
2015532230.tif 000013